(57)【要約】      （修正有）【課題】不正開封を見つけ易く、注ぎ易く、良好な液切れが出来、かつ正確な流量調整と液垂れ防止を可能とする抽出ノズル付き容器を提供する。【解決手段】首部Ａには、流量調整できて液垂れしない注出ノズル１を設け、該注出ノズル１との相対位置に空気孔２を穿設する。首部Ａを被蓋するキャップ本体１０には頂壁面１１より垂下する首部Ａ内周面とのシールをするインナーリング１３を設ける。外側壁１４には注出ノズル１からの注出を可能にする切欠顕出部分２０を顕出させるための剥取帯３０を配置する。【選択図】図１
2015209276.tif 000002
【特許請求の範囲】
【請求項１】
首部には、流量調整できて液垂れしない注出ノズルを設け、その首部の周壁の該注出ノズルとの相対位置に空気孔を穿設し、首部先端外周縁には位置決めアウターリングを、首部根幹部にはネックリングを形成し、更に、これらの間には上方アウターリング、下方アウターリングを形成し、そのような首部に被蓋するキャップは、頂壁面より垂下する首部内周面とのシールをするインナーリングが設けられ、外側壁の内側には首部の上方アウターリングと係止して、回動可能とする係止回動リブを形成したキャップ本体と、該キャップ本体の外側壁の下端に刻設される切込みスリットにより区画され、更に、該外側壁に注出ノズルからの注出が可能にされる切欠顕出部分をも切欠き、剥取る環状の帯体である剥取帯とでなり、該剥取帯に形成された摘み部による剥取りで、その首部の下方アウターリングと係合する係合リブが切断されて首部の下方アウターリングとの係合を外し、キャップ本体が、その係止回動リブを首部の上方アウターリングに係止させ、回動させられることによって、キャップ本体の外側壁で覆われていた注出ノズルが、そのキャップ本体の外側壁を切欠いて形成させた切欠顕出部分に顕出されるようにしたことを特徴とする流量調整できて液垂れしない注出ノズル付き容器。
【請求項２】
首部根幹部にはネックリングを形成し、その上面に少なくとも１つの突起部を設け、該首部に被蓋するキャップが、キャップ本体と、剥取帯とでなり、該剥取帯の下端縁には、前記ネックリングの突起部に対応した凹部を形成し、キャップの被蓋の際には、該剥取帯がその係合リブを首部の下方アウターリングに係合し、剥取帯の下端縁を首部のネックリングに当接させ、剥取帯の凹部が、首部のネックリングに設けられた突起部に係合し、キャップの動きを停止させることを特徴とする請求項１記載の流量調整できて液垂れしない抽出ノズル付き容器。
【請求項３】
首部先端外周縁には位置決めアウターリングを形成し、その上面に定寸法の蟻溝を刻設し、該首部に被蓋するキャップ本体と剥取帯とでなるキャップには、そのキャップ本体の頂壁面に前記位置決めアウターリングの蟻溝へ挿込み、摺動ガイドされる凸部を形成し、剥取帯が、キャップ本体の切欠顕出部分をも切欠き、剥取られて、キャップ本体をその係止回動リブで首部の上方アウターリングに係止させ、回動される際に、首部の注出ノズルが切欠顕出部分から顕出される位置と、キャップ本体の外側壁で覆われる位置との間だけに、キャップ本体の回動がされ得るよう制限させることを特徴とする請求項１乃至２のいずれか１項記載の流量調整できて液垂れしない注出ノズル付き容器。
【請求項４】
容器の首部となるその首部と、未成形のチューブ状の容器本体とでなり、該首部に流量調整できて液垂れしない注出ノズルが付設され、その首部の周壁の該注出ノズルとの相対位置に空気孔を穿設し、首部先端外周縁には位置決めアウターリングを、首部根幹部にはネックリングを形成し、更に、これらの間には上方アウターリング、下方アウターリングを形成し、そして、位置決めアウターリングの上面に定寸法の蟻溝を刻設し、ネックリングの上面に少なくとも１つの突起部を設けたプリフォームが、未成形のチューブ状容器本体を所定の形態になるブロー成形され、その首部に被蓋するキャップは、頂壁面より垂下する首部内周面とのシールがされるインナーリングを設け、外側壁の内側に首部の上方アウターリングと係止して、回動可能とする係止回動リブを形成したキャップ本体と、該キャップ本体の外側壁の下端に刻設される切込みスリットにより区画され、更に、キャップ本体の外側壁に注出ノズルからの注出が可能にされる切欠顕出部分をも切欠き、剥取る環状の帯体である剥取帯とでなり、キャップが首部に被蓋される際には、キャップの剥取帯の下端縁が首部のネックリングに当接され、剥取帯の下端縁の凹部を首部のネックリング上面の突起部に係合し、キャップの動きを停止させ、そこで、該剥取帯に形成された摘み部による剥取りがされるとその首部の下方アウターリングと係合する係合リブが切断され、首部の下方アウターリングとの係合を外し、キャップ本体がその係止回動リブを首部の上方アウターリングに係止させ、回動させることによって、キャップ本体の頂壁面に形成された凸部が首部先端外周縁に形成された位置決めアウターリングのその上面に刻設された蟻溝に挿込み、摺動ガイドされ、キャップ本体を首部の注出ノズルがキャップ本体の切欠顕出部分から顕出される位置と、キャップ本体の外側壁で覆われる位置との間だけを制御回動するようにしたことを特徴とする流量調整できて液垂れしない注出ノズル付き容器。
【発明の詳細な説明】
【技術分野】
【０００１】  本発明は、酢、醤油、味醂等、液体調味料の注出に流量の調整ができ、しかも、液垂れしない注出ノズル付き容器におけるピールプルーフ（いたずら開封防止）機能、及びタンパーエビデント（不正開封防止）機能を有する注出ノズル付き容器に関するものである。
【背景技術】
【０００２】  従来、酢、醤油、味醂等の液体調味料を収容する容器は、容器本体の首部に中蓋を嵌着し、該中蓋における頂面に立設された注出筒部内側部分には、プルトップを引張ることによって切除可能な開封片が刻設され、この中蓋には、その注出筒部を覆う外蓋が被蓋されてなり、二重蓋構造のキャップを構成されるものであった（特許文献１）。【０００３】  また、酢、醤油、味醂等の液体調味料の注出をし易くするため、更に、ピールプルーフ機能、及びタンパーエビデント機能を持たせるために、容器は、その首部先端の注出口部分には切欠き状の注ぎ口を形成し、該首部の内面には環状の段部を形成して、該環状の段部にフィルム状の密封片が剥離可能に接着されて密封し、その上で、首部にキャップを被蓋するものであった。そして、首部の外側周面には、アウターリング及びネックリングを形成しているので、該アウターリングにキャップのアンダーカット溝部を係合させ、該ネックリングにキャップの側壁下端を係止させている。そこで、キャップが首部に閉蓋されることによって、該キャップにより前記密封片を保護し、前記注ぎ口に塵等が付着しないようにできるものである（特許文献２）。
【先行技術文献】
【特許文献】
【０００４】
【特許文献１】  特開平０５−３０５９４１号公報
【特許文献２】  特開平１１−２９２０４９号公報
【発明の概要】
【発明が解決しようとする課題】
【０００５】  従来の酢、醤油、味醂等の液体調味料の容器は、中蓋と外蓋との二重蓋構造でなるキャップを被蓋し、その中蓋の注出筒部が立設された頂面の注出筒部内側部分にプルトップを引張ることによって切除可能とされる開封片が刻設されたものであるが、外蓋を外してみなければ、ピールプルーフ機能及びタンパーエビデント機能を十分に果していると判断できない。
また、中蓋に立設された注出筒部では、注ぎ口が広いので、確実な流量調整ができず、液垂れ防止にも苦慮している。【０００６】  そこで、容器の首部先端の注出口部分に切欠き状の注ぎ口を設け、且つ、該首部の内面に形成された環状の段部にはフィルム状の密封片を剥離可能に接着させて密封し、該密封片及び該切欠き状注ぎ口を保護するため、キャップが被蓋されることによって、一応は、ピールプルーフ機能及びタンパーエビデント機能を有するかのようにしたが、キャップの単なる被蓋だけでは、不正開封されていても見つけ出せず、不都合である。
更に、容器の首部先端の注出口部分に切欠き状の注ぎ口を設けただけでは、酢、醤油、味醂等の液体調味料が注ぎ難く、良好な液切れをも出来ず、しかも、正確な流量の調整もし難く、液垂れ防止もできない。
【課題を解決するための手段】
【０００７】  本発明の流量調整でき、液垂れしない注出ノズル付き容器は、首部には、流量調整できて液垂れしない注出ノズルを設け、その首部の周壁の該注出ノズルとの相対位置に空気孔を穿設し、首部先端外周縁には位置決めアウターリングを、首部根幹部にはネックリングを形成し、更に、これらの間には上方アウターリング、下方アウターリングを形成し、そのような首部に被蓋するキャップは、頂壁面より垂下する首部内周面とのシールをするインナーリングが設けられ、外側壁（スカート部）の内側には首部の上方アウターリングと係止して、回動可能とする係止回動リブを形成したキャップ本体と、該キャップ本体の外側壁の下端に刻設される切込みスリットにより区画され、更に、該外側壁に注出ノズルからの注出が可能にされる切欠顕出部分をも切欠き、剥取る環状の帯体である剥取帯とでなり、該剥取帯に形成された摘み部による剥取りで、その首部の下方アウターリングと係合する係合リブが切断されて首部の下方アウターリングとの係合を外し、キャップ本体が、その係止回動リブを首部の上方アウターリングに係止させ、回動させられることによって、キャップ本体の外側壁で覆われていた注出ノズルが、そのキャップ本体の外側壁を切欠いて形成させた切欠顕出部分に顕出されるようにしたものである。【０００８】  本発明の流量調整でき、液垂れしない注出ノズル付き容器は、首部根幹部にはネックリングを形成し、その上面に少なくとも１つの突起部を設け、該首部に被蓋するキャップが、キャップ本体と、剥取帯とでなり、該剥取帯の下端縁には、前記ネックリングの突起部に対応した凹部を形成し、キャップの被蓋の際には、該剥取帯がその係合リブを首部の下方アウターリングに係合し、剥取帯の下端縁を首部のネックリングに当接させ、剥取帯の凹部が、首部のネックリングに設けられた突起部に係合し、キャップの動きを停止させるものである。【０００９】  本発明の流量調整でき、液垂れしない注出ノズル付き容器は、首部先端外周縁には位置決めアウターリングを形成し、その上面に定寸法の蟻溝を刻設し、該首部に被蓋するキャップ本体と剥取帯とでなるキャップには、そのキャップ本体の頂壁面に前記位置決めアウターリングの蟻溝へ挿込み、摺動ガイドされる凸部を形成し、剥取帯が、キャップ本体の切欠顕出部分をも切欠き、剥取られて、キャップ本体をその係止回動リブで首部の上方アウターリングに係止させ、回動させる際に、首部の注出ノズルが切欠顕出部分から顕出される位置と、キャップ本体の外側壁で覆われる位置との間だけに、キャップ本体の回動がされ得るよう制限させるものである。【００１０】  本発明の流量調整でき、液垂れしない注出ノズル付き容器は、容器の首部となるその首部と、未成形のチューブ状の容器本体とでなり、該首部に流量調整できて液垂れしない注出ノズルが付設され、その首部の周壁の該注出ノズルとの相対位置に空気孔を穿設し、首部先端外周縁には位置決めアウターリングを、首部根幹部にはネックリングを形成し、更に、これらの間には上方アウターリング、下方アウターリングを形成し、そして、位置決めアウターリングの上面に定寸法の蟻溝を刻設し、ネックリングの上面に少なくとも１つの突起部を設けたプ���フォームが、未成形のチューブ状容器本体を所定の形態になるブロー成形され、その首部に被蓋するキャップは、頂壁面より垂下する首部内周面とのシールがされるインナーリングを設け、外側壁（スカート部）の内側に首部の上方アウターリングと係止して、回動可能とする係止回動リブを形成したキャップ本体と、該キャップ本体の外側壁の下端に刻設される切込みスリットにより区画され、更に、キャップ本体の外側壁に注出ノズルからの注出が可能にされる切欠顕出部分をも切欠き、剥取る環状の帯体である剥取帯とでなり、キャップが首部に被蓋される際には、キャップの剥取帯の下端縁が首部のネックリングに当接され、剥取帯の下端縁の凹部を首部のネックリング上面の突起部に係合し、キャップの動きを停止させ、そこで、該剥取帯に形成された摘み部による剥取りがされるとその首部の下方アウターリングと係合する係合リブが切断され、首部の下方アウターリングとの係合を外し、キャップ本体がその係止回動リブを首部の上方アウターリングに係止させ、回動させることによって、キャップ本体の頂壁面に形成された凸部が首部先端外周縁に形成された位置決めアウターリングのその上面に刻設された蟻溝に挿込み、摺動ガイドされ、キャップ本体を首部の注出ノズルがキャップ本体の切欠顕出部分から顕出される位置と、キャップ本体の外側壁で覆われる位置との間だけを制限回動するようにしたものである。
【発明の効果】
【００１１】  本発明の流量調整できて液垂れしない注出ノズル付き容器は、注出ノズルが首部に付設されているので、注出ノズルで良好な流量調整をすることができ、しかも、液垂れしない、且つ、液切れがよい。
そして、首部に流量調整でき、液垂れしない注出ノズルを付設した注出ノズル付き容器は、その首部の周壁の注出ノズルとの相対位置に空気孔を穿設し、且つ、位置決めアウターリング、上方アウターリング、下方アウターリング、そして、ネックリングを形成し、このような首部に被蓋するキャップを、キャップ本体に首部内周面とのシールがされるインナーリングを設け、首部の上方アウターリングで係止する外側壁の係止回動リブで、注出ノズルをキャップ本体の該側壁の切欠顕出部分への位置に回動させて注出ノズルよりの注出ができるようにしたので、注出ノズルで注出しない限りは容器内を外気と遮断する。そして、キャップの剥取帯下端縁の凹部と首部のネックリングの突起部との係合でキャップの動きを停止させて、剥取帯を剥取らない限りはキャップ本体の回動を出来なくする。注出ノズルによる注出の際は、空気孔により空気が流入して良好な注出を可能とする。キャップ本体で閉蓋されている状態では容器が転んでも液洩れなく、また、調味料の酸化を防ぐことができる。
そして、注出ノズルより調味料を注出している以外では、注出ノズルがキャップ本体で覆われているので注ぎ口に塵等が付着されずに、また、搬送時の注出ノズルが保護されることになり、その上、衛生的である。
キャップ本体の頂壁面に、首部の位置決めアウターリングの蟻溝へ挿込み、摺動ガイドする凸部を形成することによって、注出ノズルよりの注出位置を制限できるので、操作が簡単かつ容易に出来ることになる。
また、剥取帯を剥取らない限り、キャップ本体が回動できず、注出ノズルよりの注出がされないので、効果的なピールプルーフ機能及びタンパーエビデント機能を齎すことになる。
【図面の簡単な説明】
【００１２】
【図１】  流量調整できて液垂れしない注出ノズル付き容器の縦断面図である。
【図２】  流量調整できて液垂れしない注出ノズル付き容器の注出ノズル位置での横断面図である。
【図３】  流量調整できて液垂れしない注出ノズル付き容器の側面図である。
【図４】  流量調整できる液垂れしない注出ノズル付き容器の首部の上面視図である
【図５】  注出ノズル付き容器のプリフォームの断面図である。
【発明を実施するための形態】
【００１３】  本発明の流量調整でき、液垂れしない注出ノズル付き容器は、図１、図２、及び図３にに示す如く、首部Ａには、流量調整できて液垂れしない注出ノズル１が付設され、その首部Ａの周壁の該注出ノズルとの相対位置に空気孔２を穿設し、首部Ａ先端外周縁には位置決めアウターリング３を、首部根幹部にはネックリング４を形成し、更に、これらの間には上方アウターリング５、下方アウターリング６を形成し、そのような首部Ａに被蓋するキャップＢは、頂壁面１１より垂下する首部Ａ内周面とのシールがされるシールリング１２を備えたインナーリング１３が設けられ、外側壁（スカート部）１４内側には首部Ａの上方アウターリング５と係止して回動可能とする係止回動リブ１５を形成したキャップ本体１０と、該キャップ本体の外側壁１４下端に刻設される切込みスリット３３により区画され、更に、該外側壁１４に注出ノズル１からの注出が可能にされる切欠顕出部分２０を切欠き、剥取る環状の帯体である剥取帯３０とでなり、該剥取帯に形成された摘み部３１による剥取りで、その首部Ａの下方アウターリング６と係合する係合リブ３４が切断されて首部Ａの下方アウターリング６との係合を外し、キャップ本体１０が、その係止回動リブ１５を首部Ａの上方アウターリング５に係止させ、回動させられることによって、キャップ本体１０の外側壁１４で覆われていた注出ノズル１が、そのキャップ本体１０の外側壁１４を切欠いて形成させた切欠顕出部分２０に顕出されるようにし、注出ノズル１からの注出を可能とする。
【００１４】  そして、首部Ａ内周面とのシールがされるキャップ本体１０の頂壁面１１より垂下するインナーリング１３は、首部Ａの注出ノズル１が位置する部分に切込み部１３１を、そして、その注出ノズル１に相対して穿設された空気孔２が位置する部分に空気流入切込み部１３２を設け、首部Ａの注出ノズル１の位置にキャップ本体１０の外側壁１４に形成された切欠顕出部分２０が位置されると、インナーリング１３の切込み部１３１も注出ノズル１に位置され、空気流入切込み部１３２も空気孔２に位置される。
インナーリング１３には、首部Ａ内周面とのシールがされるシールリング１２が備えられ、設けられた切込み部１３１、空気流入切込み部１３２にも、その端縁に沿ったシールリブ１２１が備えられて、確実なシールがされている。
【００１５】  首部Ａ根幹部には、ネックリング４を形成し、図３に示す如く、その上面に少なくとも１つの突起部４１を設け、該首部に被蓋するキャップＢが、キャップ本体１０と、剥取帯３０とでなり、該剥取帯の下端縁３６には前記ネックリングの突起部４１に対応した凹部３５を形成し、キャップの被蓋の際には、該剥取帯がその係合リブ３４を首部Ａの下方アウターリング６に係合し、剥取帯３０の下端縁３６を首部Ａのネックリング４に当接させ、剥取帯３０の凹部３５が首部Ａのネックリング４に設けられた突起部４１に係合し、キャップＢの回動の動きを停止させることになる。
【００１６】  首部Ａ先端外周縁には、図４に示す如く、位置決めアウターリング３を形成し、その上面に定寸法の蟻溝３２を刻設し、該首部に被蓋するキャップ本体１０と剥取帯３０とでなるキャップＢには、そのキャップ本体１０の頂壁面１１に、前記位置決めアウターリング３の蟻溝３２へ挿込み、摺動ガイドされる凸部１６を形成し、剥取帯３０が、キャップ本体１０の切欠顕出部分２０をも切欠き、剥取られて、キャップ本体１０をその係止回動リブ１５で首部Ａの上方アウターリング５に係止させ、回動される際には、首部Ａの注出ノズル１が切欠顕出顕出部分２０から顕出される位置と、キャップ本体１０の外側壁１４で覆われる位置との間だけに、キャップ本体１０の回動がされ得るように制限させている。
【００１７】  注出ノズル付き容器のプリフォームは、図５に示す如く、容器の首部となるその首部Ａと、未成形のチューブ状の容器本体Ｃとでなり、該首部に流量調整できて液垂れしない注出ノズル１が付設され、その首部Ａの周壁の該注出ノズルとの相対位置に空気孔２を穿設し、首部先端外周縁には位置決めアウターリング３を、首部根幹部にはネックリング４を形成し、更に、これら間には上方アウターリング５、下方アウターリング６を形成し、且つ、上方アウターリング５、下方アウターリング６の注出ノズル１側部位５１，６１を切除き、注出ノズル１よりの注出が良好にされる。そして、位置決めアウターリング３の上面に定寸法の蟻溝３２を刻設し、ネックリング４の上面に少なくとも１つの突起部４１を設ける。そこで、未成形のチューブ状容器本体Ｃを所定の形態になるブロー成形がされる。
その首部Ａに被蓋するキャップＢは、頂壁面１１より垂下する首部Ａ内周面とのシールがされるインナーリング１３を設け、外側壁１４の内側に首部Ａの上方アウターリング５と係止して、回動可能とする係止回動リブ１５を形成したキャップ本体１０と、該キャップ本体の外側壁１４の下端に刻設された切込みスリット３３により区画され、更に、キャップ本体１０の外側壁１４に注出ノズル１からの注出が可能にされる切欠顕出部分２０をも切欠き剥取る環状の帯体である剥取帯３０とでなる。
【００１８】  キャップＢが首部Ａに被蓋されると、キャップ本体１０の係止回動リブ１５を首部Ａの上方アウターリング５に係止し、剥取帯３０の係合リブ３４を首部Ａの下方アウターリング６に係合させ、且つ、剥取帯３０の下端縁３６を首部Ａのネックリング４に当接し、その下端縁３６の凹部３５をネックリング４上面の突起部４１に係合させ、キャップＢの回動の動きを停止させ、キャップＢの被蓋が安定される。
そこで、剥取帯３０に形成された摘み部３１による剥取りがされると、その首部Ａの下方アウターリング６と係合する係合リブ３４が切断され、下方アウターリング６との係合を外し、剥取帯３０が剥取られると共に、キャップ本体１０の外側壁１４に形成された切欠顕出部分２０をも切欠き、剥取られることになる。
キャップ本体１０がその係止回動リブ１５で首部Ａの上方アウターリング５と係止し、回動させることによって、キャップ本体１０の外側壁１４で覆われていた注出ノズル１が外側壁１４に切欠き形成されていた切欠顕出部分２０に顕出され、流量調整でき、液垂れしない注出ができることになる。
【００１９】  注出ノズル１がキャップ本体１０の外側壁１４で覆われているときは、キャップ本体１０のインナーリング１３のシールリング１２及びシールリブ１２１によりシールされ、流路が塞がれているので注出できない。また、空気孔２も塞がれているので調味料の酸化を防止できる。更に、転がされても液洩れすることがない。
そして、キャップ本体１０の頂壁面１１には凸部１６が形成され、首部Ａの先端外周縁に形成された位置決めアウターリング３の上面に蟻溝３２が刻設され、該蟻溝に前記凸部を挿込み、摺動ガイドさせ、注出ノズル１がキャップ本体１０の外側壁１４で覆われている位置と、注出ノズル１が外側壁１４の切欠顕出部分２０から顕出される位置との間を制限回動させるようになっている。
よって、簡単、且つ容易な、そして、合理的な注出ノズル１の開閉ができ、注出ノズル１による的確な流量調整と、液垂れ防止と、そして液洩れ防止が出来ることになる。
【符号の説明】
【００２０】Ａ        首部
Ｂ        キャップ
Ｃ        容器本体
１        注出ノズル
１０      キャップ本体
１１      頂壁面
１２      シールリング
１２１    シールリブ
１３      インナーリング
１３１    切込み部
１３２    空気流入切込み部
１４      外側壁
１５      係止回動リブ
１６      凸部
２        空気孔
２０      切欠顕出部分
３        位置決めアウターリング
３０      剥取帯
３１      摘み部
３２      蟻溝
３３      切込みスリット
３４      係合リブ
３５      凹部
３６      下端縁
４        ネックリング
４１      突起部
５        上方アウターリング
５１      部位
６        下方アウターリング
６１      部位
【図１】
2015209276.tif 000003
【図２】
2015209276.tif 000004
【図３】
2015209276.tif 000005
【図４】
2015209276.tif 000006
【図５】
2015209276.tif 000007